(57)【要約】【解決手段】本発明はマイクロスイッチコネクタ（１１）に関する。マイクロスイッチコネクタ（１１）は、挿入開口（１５）を有するコンタクト収容室（３１）を有する絶縁ハウジングと、コンタクト収容室（３１）内に配置されたコンタクトスイッチばね（２５）とを有する。ハウジング（１３）は、挿入開口（１５）から離れたコンタクト収容室（３１）の一側面に、第１外部接続部を形成するための導電性停止部（５９）を有する。コンタクトスイッチばね（２５）は、固定脚（３７）をスイッチ脚に接続するばね曲げ部を有する。固定脚は、差込みコンタクトの挿入経路の外側でハウジング（１３）内に固定されると共に第２外部電気接続部を形成するために接触端を有する。スイッチ脚（３９）は、停止部（５９）に向かって挿入経路内へ斜めに延び、固定脚（３７）に関して弾性的に回転すると共に、停止部に当接するよう予荷重が加えられた自由端（５７）を有する。
2006519464.tif 000002
【特許請求の範囲】
【請求項１】
少なくとも１個のコンタクト収容室（３１）を有する絶縁ハウジングと、前記コンタクト収容室（３１）内に配置されたコンタクトスイッチばね（２５）とを有するマイクロスイッチコネクタ（１１）であって、
前記コンタクト収容室（３１）は、差込みコンタクトを挿入するための挿入開口（１５）を有し、
前記ハウジング（１３）は、前記挿入開口（１５）から離れた前記コンタクト収容室（３１）の一側面に、第１外部接続部を形成するための導電性停止部（５９）を有し、
前記コンタクトスイッチばね（２５）は、ばね曲げ部により接続された固定脚（３７）及びスイッチ脚（３９）を有し、
前記固定脚（３７）は、前記差込みコンタクトの挿入経路の外側でハウジング（１３）内に固定されると共に第２外部電気接続部を形成するために接続端（４５）を有し、
前記スイッチ脚（３９）は、停止部（５９）に向かって挿入経路内へ斜めに延び、前記固定脚（３７）に関して弾性的に回転すると共に、停止部（５９）に当接するよう予荷重が加えられた自由端（５７）を有し、
前記挿入開口（１５）を通って挿入された差込みコンタクトが前記差込みコンタクトの挿入経路に沿って前記スイッチ脚（３９）に接触し、前記停止部（５９）から前記自由端（５７）を離すことを特徴とするマイクロスイッチコネクタ。
【請求項２】
前記停止部（５９）及び前記固定脚の前記接続端（４５）は、前記挿入開口（１５）とは反対側の前記ハウジング（１３）の一端に配置されていることを特徴とする請求項１記載のマイクロスイッチコネクタ。
【請求項３】
前記停止部（５９）は、前記ばね曲げ部（４１）とは正反対の位置にあるコンタクト収容室（３１）の領域に位置することを特徴とする請求項１又は２記載のマイクロスイッチコネクタ。
【請求項４】
前記スイッチ脚（３９）は、前記挿入開口（１５）に近接して前記ばね曲げ部（４１）から前記挿入経路の外側で該挿入経路と平行に延びる初期領域（４７）と、該初期領域（４７）に接続されると共に前記挿入開口（１５）から斜めに離れる方向を向いて前記挿入経路内へ延びる中央領域（４９）と、前記自由端（５７）で終端すると共に前記停止部（５９）まで延びる自由端領域（５５）とを具備することを特徴とする請求項１ないし３のうちいずれか１項記載のマイクロスイッチコネクタ。
【請求項５】
前記端部領域（５５）は前記挿入経路に対して横断する方向に延びることを特徴とする請求項４記載のマイクロスイッチコネクタ。
【請求項６】
前記中央領域（４９）は、前記挿入開口（１５）の中心線（５３）と交差しないで前記挿入経路内に突出することを特徴とする請求項３ないし５のうちいずれか１項記載のマイクロスイッチコネクタ。
【請求項７】
前記スイッチ脚（３９）の前記中央領域（４９）は、約１５°から３０°の範囲内の角度（５１）で前記初期領域（４７）から離れる方向に延びることを特徴とする請求項６記載のマイクロスイッチコネクタ。
【請求項８】
前記固定脚（３７）から前記スイッチ脚（３９）の方向へ停止部（６３）が突出しており、
該停止部は、前記固定脚（３７）の方への前記スイッチ脚（３９）の偏位を制限することを特徴とする請求項１ないし７のうちいずれか１項記載のマイクロスイッチコネクタ。
【請求項９】
前記ハウジング（１３）には、絶縁性領域（６７）及び導電性領域（２３，２４，５９，６１）が設けられていることを特徴とする請求項１ないし８のうちいずれか１項記載のマイクロスイッチコネクタ。
【請求項１０】
前記停止部（５９）は、前記ハウジング（１３）の導電性領域により形成されていることを特徴とする請求項１ないし９のうちいずれか１項記載のマイクロスイッチコネクタ。
【請求項１１】
前記ハウジング（１３）には、前記マイクロスイッチコネクタ（１１）内に挿入された同軸プラグの外部導体、及び前記マイクロスイッチコネクタ（１１）が実装される印刷回路基板の印刷導体（７１）と電気的接触を形成するよう構成された導電性外部領域（２３，６５）が設けられ、
前記導電性停止部（５９）及び前記導電性外部領域（２３，６５）は、前記ハウジング（１３）の絶縁性領域（６７）により分離されていることを特徴とする請求項９又は１０記載のマイクロスイッチコネクタ。
【請求項１２】
前記ハウジングの外部側面には、前記差込みコンタクトを有する差込みコネクタの相補的なラッチ装置にラッチするためのラッチ装置（２１）が設けられていることを特徴とする請求項１ないし１１のうちいずれか１項記載のマイクロスイッチコネクタ。
【請求項１３】
前記ハウジング（１３）は、約２〜５mmの範囲の外部高さ寸法及び外部幅寸法を有することを特徴とする請求項１ないし１２のうちいずれか１項記載のマイクロスイッチコネクタ。
【発明の詳細な説明】
【技術分野】
【０００１】
本発明は、コンタクト収容室に差込み（plug-in）コンタクトが無いと、コンタクト収容室内に配置された可動コンタクトが固定コンタクトに接触し、差込みコンタクトがコンタクト収容室内に挿入されると、挿入経路に沿って可動コンタクトが差込みコンタクトに接続して可動コンタクトが固定コンタクトから分離する、差込みコンタクトを受容するためのコンタクト収容室を有するマイクロスイッチコネクタに関する。
【背景技術】
【０００２】
上述したようなマイクロスイッチコネクタは、例えば携帯電話内で外部アンテナを携帯電話に接続するインタフェーススイッチコネクタとして使用される。スイッチコネクタは、携帯電話の送受信回路を内部アンテナ又は例えば自動車内に実装可能な外部アンテナのいずれかに接続する機能を有する。外部アンテナに接続された差込みコネクタはマイクロスイッチコネクタに挿入でき、内部アンテナを送受信回路から接続解除すると同時に送受信回路及び外部アンテナ間を差込み接続する。差込みコネクタをマイクロスイッチコネクタから引っ張ることにより、外部アンテナ及び送受信回路間の接続は遮断され、送受信回路は内部アンテナに再度接続される。携帯電話の小型化により、上述したようなマイクロスイッチコネクタも対応して小型化しなければならない。
【発明の開示】
【発明が解決しようとする課題】
【０００３】
携帯電話での使用のために設計され、挿入開口から差込みコンタクトにアクセスできるコンタクト収容室があるハウジングを有するスイッチコネクタが、独国特許出願公開第１００５１７９１号明細書で公知である。コンタクト収容室にはＵ形状のばねクリップがあり、挿入開口に挿入される際に、ばねクリップの脚部の間に差込みコンタクトが所定位置に保持される。差込みコンタクトが挿入されていない場合、２本の脚部の自由端は、ハウジングの金属コーティングされ導電性を有する突起に当接して休止する。差込みコンタクトを挿入することにより、２本の脚部及び導電性突起間の電気コンタクトが分離するように、ばねクリップの脚部は広がる。ばねクリップは、差込みコンタクトの挿入経路に対して横断する方向に延びており、この方向に沿って挿入開口の直径よりもかなり大きな寸法を有する。この結果、スイッチコネクタが対応して大きな寸法となってしまい、携帯電話用に進んでいる小型化の妨げとなる。
【０００４】
差込みコンタクトをスイッチコネクタに挿入することにより電気接続が遮断されるスイッチコネクタが、米国特許第４６３３０４８号明細書で公知である。このスイッチコネクタは、ほぼ立方体状のハウジング部を有すると共に筒状ハウジング部が立方体状ハウジングから延びているコネクタハウジングを有する。コネクタハウジング内には２個のコンタクトが配列される。各コンタクトは、立方体状ハウジングに収容されると共に接続タグが突出した板状接触領域と、筒状ハウジング部内に突出する可動弾性接触領域とを有する。１コンタクトの可動弾性接触領域は平坦なフォークとして設けられているのに対し、他のコンタクトの可動弾性接触領域は差込みコンタクト用の挿入スリーブとして設けられている。挿入スリーブは、差込みコンタクトが挿入スリーブ内に挿入されていない限り、筒状ハウジング部の挿入開口に対して偏心して配置されるように、予荷重が印加されている。この偏心位置において、挿入スリーブは、他のコンタクトの平坦なフォークと電気的接触状態にある。差込みコンタクトが挿入スリーブ内に挿入されると、挿入スリーブを筒状ハウジング部に対して中心位置へ移動させ、挿入スリーブは平坦なフォークから起きるので、２個のコンタクト間の電気接続が遮断される。このスイッチコネクタは、小さな構造の携帯電話に適合する寸法で製造することは困難である。
【０００５】
２列のコネクタピンを有し、２列のうち１列のコネクタピンとハウジング壁との間で、緩和状態で２本のコンタクトピンと電気的に接触する２個のばねアームを有する板状架橋コンタクト部材が配置された差込みコネクタが、米国特許第４０７０５５７号明細書で公知である。相手コネクタが差込みコネクタのハウジング内に挿入されると、ばねアームは、コネクタピンを有するコンタクトから相手コネクタの隔壁により押圧される。このため、２本のコネクタピンの前述の電気的架橋は、架橋コンタクト部材により遮断される。この差込みコネクタもまた、携帯電話での使用に適合しない寸法を有する。
【課題を解決するための手段】
【０００６】
本発明において、特に小さい寸法の携帯電話での使用に適合するマイクロスイッチコネクタが提供される。
【０００７】
本発明はマイクロスイッチコネクタ（１１）に関する。マイクロスイッチコネクタ（１１）は、挿入開口（１５）を有するコンタクト収容室（３１）を有する絶縁ハウジングと、コンタクト収容室（３１）内に配置されたコンタクトスイッチばね（２５）とを有する。ハウジング（１３）は、挿入開口（１５）から離れたコンタクト収容室（３１）の一側面に、第１外部接続部を形成するための導電性停止部（５９）を有する。コンタクトスイッチばね（２５）は、固定脚（３７）をスイッチ脚に接続するばね曲げ部を有する。固定脚は、差込みコンタクトの挿入経路の外側でハウジング（１３）内に固定されると共に第２外部電気接続部を形成するために接触端を有する。スイッチ脚（３９）は、停止部（５９）に向かって挿入経路内へ斜めに延び、固定脚（３７）に関して弾性的に回転すると共に、停止部（５９）に当接するよう予荷重が加えられた自由端（５７）を有する。
【発明を実施するための最良の形態】
【０００８】
典型的な一実施形態を参照して、本発明をより詳細に説明する。全ての図面において、本発明のマイクロスイッチコネクタは拡大されている。
【０００９】
図１は、本発明の典型的な一実施形態に従ったマイクロスイッチコネクタ１１を上から見た斜視図である。マイクロスイッチコネクタは、約２mm及び約５mmの間の範囲、好適には約３mmの横幅を有するほぼ立方体形状であるハウジング１３を具備する。ハウジングの上面において、蓋壁には、差込みコンタクト（図示せず）を挿入するための挿入開口１５が設けられている。図１において、ハウジングの前面及び後面にそれぞれ配置された側壁１７，１９は、横方向の中央部分にわたって部分的に円形である。高さ方向の半分の位置において、２側壁１７，１９には、２個のコネクタが差込み接続の際に互いにラッチした状態を保つために、相手差込みコネクタの相補的なラッチ装置と協働できるラッチ突起２１が設けられる。
【００１０】
ハウジング１３はＭＩＤ（Molded Interconnection Device：表面に導体部が形成された成形品）技法により製造される。これは、ハウジング１３が、めっき手段によりプラスチック表面に付着する金属コーティングという点で異なって振舞う２種類の異なるプラスチックで成形されることを意味する。同一のめっき工程において、一方のプラスチックの表面がめっき可能であるが、他方のプラスチックの表面には金属が付着しない。ハウジング１３の所望表面部分に選択的にめっきすることは、この方法で２種のプラスチックのパターンにより達成できる。図１において、金属がコーティングされた表面部分２３はハッチングで示される。この金属コーティングの目的は後に説明する。
【００１１】
図２は、マイクロスイッチコネクタ１１を下から見た図である。選択的に金属コーティングされ導電性を有するハウジング１３の表面領域２３はまた、図２においてハッチングで示される。図２はまた、本発明に従って設けられたコンタクトスイッチばね２５を下から見た図を含んでいる。図２に見える金属コーティングされた表面領域２３の意義及びコンタクトスイッチばね２５の詳細は、図５と一緒により詳細に説明する。
【００１２】
図３及び図４は、図１に示されたマイクロスイッチコネクタ１１の側面図である。図３は、図１の前側壁１７に対応する側面図である。図４は、図２の左側及び図１に示された、右側壁に対応する側面図である。図３及び図４において、選択的に金属コーティングされた表面領域２３もハッチングで示される。図３及び図４は、それぞれ前側及び側方からの１個のラッチ突起２１を示す。
【００１３】
図５は、図４のＡ−Ａ断面に沿って拡大した断面図を示す。めっきにより表面に金属コーティングできるプラスチック２７で構成されたハウジング１３の部分は、右上から左下に延びるハッチングで示される。表面がめっきにより金属コーティングできないプラスチック２９で構成されたハウジング１３の部分は、左上から右下に延びるハッチングで示される。ハウジング１３の表面は、めっきされたプラスチック２７が位置する点で導電性を有するのに対し、めっきされていないプラスチック２９が位置するハウジング１３の表面は、電気的に絶縁している。
【００１４】
ハウジング１３は、図示されていない差込みコンタクトの挿入用の挿入開口１５を介して図５の上端でアクセス可能であるコンタクト収容室３１を有する。挿入開口１５は、差込みコンタクトの挿入を容易にする漏斗を形成するために、周辺が面取りされている。コンタクトスイッチばね２５はコンタクト収容室３１内に配置されている。コンタクトスイッチばね２５は導電性材料から形成され、例えば導電性金属板から一体で打抜き加工されてもよい。コンタクトスイッチばね２５は、挿入開口側の端部でばね曲げ部４１を介して相互接続された固定脚３７及びスイッチ脚３９を有する。ばね曲げ部４１は、停止部とは正反対の位置にあるコンタクト収容室の領域に配置される。固定脚３７及びばね曲げ部４１は、挿入開口１５で画定される挿入経路の外側に配置される。従って、固定脚３７及びばね曲げ部４１は、差込みコンタクトがコンタクト収容室３１内に挿入される際に差込みコンタクトにより占有されるコンタクト収容室３１の領域の外側に配置される。固定脚３７は、印刷回路基板（図示せず）の印刷導体との電気接続を可能にするために、固定脚３７の下端における接続端４５がハウジング１３の隣接部分を超えて延びた状態で、ハウジング１１に固定される。
【００１５】
スイッチ脚３９は、ばね曲げ部４１に接続している初期領域４７を有する。この初期領域４７は固定脚３７とほぼ平行に延びており、また、差込みコンタクトの挿入経路の外側に配置されている。スイッチ脚３９の中央領域４９は初期領域４７に接続され、初期領域４７から（図５に示される）斜め下方に突出し且つ差込みコンタクト用の挿入経路内に突出するように、所定角度５１で初期領域４７から延びている。角度５１は、中央領域４９が挿入開口３３の中心線５３を超えて延びないように選択されるが、（図５に示されるように）中心線５３の右に対して所定距離で終端する。一実例では、角度５１は約１５°〜３０°の範囲内、例えば約２０°である。
【００１６】
スイッチ脚３９の端部領域５５は中央領域４９の下端に接続される。図示の実施形態において、端部領域５５は中心線５３に直交する方向に延びている。端部領域５５の自由端５７は、差込みコンタクトが挿入開口３３に挿入されないとき、ハウジング１３の停止部に当接する。停止部５９は金属コーティングされた表面のハウジング領域２３に属するので、スイッチ脚３９及び停止部５９が電気的に接触する結果となる。停止部５９は、印刷回路基板の印刷導体と接触するために接触面６１が設けられたハウジング１３の接触面６１と電気的に接続された状態である。スイッチ脚３９の自由端５７が停止部５９に当接しながら差込みコンタクトが挿入されていないとき、スイッチ脚３９の端部領域５５が接触面６１を介して印刷回路基板の印刷導体に電気的に接続される。
【００１７】
図４において特によく見られるように、導電性停止部５９及び導電性接触面６１は、ハウジング１３の非導電性表面領域６７により、ハウジング１３の導電面２３から絶縁される。図２に最もよく示されるように、２個の導電面５９，６１は、ハウジング１３の導電性架橋２４を介して相互に電気接続される。
【００１８】
差込みコンタクトが挿入開口１５を通ってコンタクト収容室３１内に挿入されると、挿入工程中、この差込みコンタクトはスイッチ脚３９の斜め中央領域４９と接触するようになり、差込みコンタクト及びコンタクトスイッチばね２５を電気的に接触させ、導電性停止部５９からスイッチ脚３９の端部領域５５の自由端５７を起こす（離す）。このため、コンタクトスイッチばね２５及びハウジング１３の接触面６１間の電気的接続が遮断されるので、コンタクトスイッチばね２５と接触面６１が接続された印刷回路基板の印刷導体間の電気的接続が遮断される。差込みコンタクトがコンタクト収容室３１内に挿入されていないか、又は少なくとも十分奥に挿入されておらず、固定脚３７の方へスイッチ脚３９を偏位させない限り、固定脚３７の接続端４５に接続される第１電気部品と、接触面６１と電気的に接続している第２電気部品とが電気的に接続されている。スイッチ脚３９の自由端５７が導電性停止部５９から起こされる（離される）よう差込みコンタクトをコンタクト収容室３１に十分深く挿入されると直ぐに、固定脚３７の接続端４５に接続された第１電気部品と、差込みコンタクトに接続された第３電気部品とが電気的に接続されるのに対し、第１電気部品及び第２電気部品間の電気的接続は遮断される。
【００１９】
外部アンテナ及び携帯電話の内部アンテナ間を切り替えるためにこのようなマイクロスイッチコネクタ１１が使用される実際の一応用例において、固定脚３７の接続端４５は例えば送受信回路に接続されるのに対して、内部アンテナは導電性接触面６１に接続される。コンタクト収容室３１内に挿入可能な差込みコンタクトは外部アンテナに接続される。差込みコンタクトをコンタクト収容室３１内に挿入することにより、内部アンテナを使用した作動から外部アンテナを使用した作動に切り替えられる。
【００２０】
本発明に従ったマイクロスイッチコネクタ１１の実際の開発は非常に小さく、ほぼ立方体ハウジング１３の幅寸法は約３mmに過ぎないので、コンタクトスイッチばね２５も対応して小さく且つ長細い。コンタクトスイッチばね２５を伸び過ぎから保護するために、スイッチ脚３９に面する固定脚３７の側面に制限停止部６３を配置してもよい。この制限停止部６３は、固定脚３７の方へのスイッチ脚３９の偏位を制限する。
【００２１】
本発明に従ったマイクロスイッチコネクタ１１の実際の応用例、例えば携帯電話の内部アンテナ及び外部アンテナ間の切替えにおいて、マイクロスイッチコネクタは、同軸ケーブルに接続される同軸差込みコンタクトと協働する。同軸ケーブルの内部導体は、コンタクト収容室３１内に挿入可能な差込みコンタクトに接続されるのに対し、同軸ケーブルの外部導体は、挿入可能な差込みコンタクトを同軸状に囲む導電性スリーブに接続される。この場合のスリーブは、差込みコンタクトがコンタクト収容室３１内に挿入完了すると、図５に示されるように、ハウジング１３の上面で挿入開口１５を同軸状に囲む導電性外部導体接触面６５に当接する。
【００２２】
外部導体接触面６５は、金属コーティングの無いプラスチックの一部により形成された絶縁性領域６７により、ハウジング１３の導電性停止部５９及び接触面６１から絶縁されている。ラッチ突起２１が設けられたハウジング１３の側面において、図２のハウジング１３の下面に見える外部導体接触面６９がハウジング１３の表面金属コーティングにより形成されている限り、ハウジング１３の金属コーティング表面は外部導体接触面６５から下方に到る。これら外部導体接触面６９は、ハウジング１３の下面における導電面への基準からの絶縁を確保するために、図２の上下に配置されたハウジング下面の側面領域に限定される。ハウジング下面の導電面は、導電性停止部５９及びコンタクト６１を取り囲む。
【００２３】
図６は、図示されていない印刷回路基板の一部のレイアウトを示し、ハウジング１３の下面における導電性領域と、固定脚３７の接続端４５との電気的接続のために設けられた印刷回路基板の接触面の平面図を具備する。このレイアウトは、図６の上下に配置された２本の縦長の接触ストリップ７１を具備する。これら接触ストリップ７１は外部導体接触面６９に電気的に接続する。２本の接触ストリップ７１間に、接触面７３及び別の接触面７５がある。接触面７３はハウジング１３の接触面６１に電気的に接続するよう作用するのに対し、接触面７５は固定脚３７の接続端４５に電気的に接続するよう作用する。
【００２４】
ばね曲げ部４１及び接続端４５の間に、固定脚３７は幅広領域７７を有する。図２に最もよく見えるように、この幅広領域７７により、固定脚３７をハウジング１３の溝７９内に固定することができる。溝７９内に固定脚３７を特に効果的に固定するために、固定脚３７には、溝７９と係合する両側面に逆刺等の固定要素を設けてもよい。
【００２５】
コンタクトスイッチばね２５は、導電性金属板から問題なく打抜き加工できるような形状を有する。ハウジング１３の製造においてＭＩＤ技法を使用することにより、本発明に従ったマイクロスイッチコネクタ１１の実際の一実施形態で望まれるように小さな寸法を有するハウジング１３に対して、選択的表面金属コーティングも簡単且つ低コストで製造することができる。従って、本発明に従ったマイクロスイッチコネクタ１１は、非常に小型化できるのみならず、携帯電話等の大量生産品の場合に非常に重要な低コストの方法で製造できる。このことは、マイクロスイッチコネクタ１１が技術的に簡単な方法で同軸マイクロスイッチコネクタとして設計される場合に、特に当てはまる。
【００２６】
コンタクトスイッチばね２５が挿入経路と平行に延びており、且つ挿入経路内に突出する１本の脚のみを有するので、コンタクトスイッチばねは、特に挿入方向に対して横断する方向の寸法に関して特に小さい寸法で製造できる。この結果、ハウジングを対応して小さな寸法にするばかりでなく、複数のこのようなマイクロスイッチコネクタが１列に配置される場合であっても、小型携帯電話用の差込み接続部の場合に特に重要である大きな全体空間の必要性が殆ど無い。
【図面の簡単な説明】
【００２７】
【図１】本発明の典型的な実施形態に従ったマイクロスイッチコネクタの拡大斜視図である。
【図２】図１のマイクロスイッチコネクタを下から見た図である。
【図３】図１のマイクロスイッチコネクタの第１の側面図である。
【図４】図３の側面図と比較して９０°回転した、図１のマイクロスイッチコネクタの第２の側面図である。。
【図５】図４のＡ−Ａ断面に沿ったマイクロスイッチコネクタの拡大断面図である。
【図６】本発明のマイクロスイッチコネクタの実装に適する印刷回路基板の接続面のレイアウトを示す図である。
【符号の説明】
【００２８】
１１  マイクロスイッチコネクタ
１３  ハウジング
１５  挿入開口
２１  ラッチ装置
２３，６５  導電性外部領域
２４，５９，６１  導電性領域
２５  コンタクトスイッチばね
３１  コンタクト収容室
３７  固定脚
３９  スイッチ脚
４１  ばね曲げ部
４５  接続端
４７  初期領域
４９  中央領域
５１  角度
５３  中心線
５５  端部領域
５７  自由端
５９  停止部
６３  停止部
６７  絶縁領域
７１  印刷導体
【図１】
2006519464.tif 000003
【図２】
2006519464.tif 000004
【図３】
2006519464.tif 000005
【図４】
2006519464.tif 000006
【図５】
2006519464.tif 000007
【図６】
2006519464.tif 000008
【国際調査報告】
2006519464.tif 000009
2006519464.tif 000010
2006519464.tif 000011